(57)【特許請求の範囲】
【請求項１】
異なる方向に光を照射可能な複数の光源部が本体ベースに取り付けられ、該本体ベースが支持部材に固定される照明装置であって、
前記各光源部は、基板上に複数の発光素子が配置されて形成された発光体を備え、
前記本体ベースには、一対の挟持部が対向して形成された凹部が形成されており、一方側の挟持部には前記支持部材に面接触可能な支持面が形成されていると共に、他方側の挟持部には弾性体が嵌合する弾性体嵌合部が形成されており、前記支持面と前記弾性体とで前記支持部材を挟持するように構成したことを特徴とする照明装置。
【請求項２】
前記各光源部は、前記照明装置が並設された場合に、前記光源部の発光素子からの光と、並設された別の照明装置の光源部の発光素子からの光とが互いに干渉する向きにそれぞれ配置されている請求項１に記載の照明装置。
【請求項３】
前記光源部のうちの少なくともいずれか一方の光源部には、前記発光素子からの光を拡散するための拡散部材が設けられており、該拡散部材は外側に凸状に湾曲して形成されている請求項１又は２に記載の照明装置。
【請求項４】
前記光源部のうちの少なくともいずれか一方の光源部には白色発光素子が設けられ、他方の光源部には白色を含む複数の色の発光素子が設けられている請求項１〜３のいずれか１の請求項に記載の照明装置
【請求項５】
上下複数段に渡って設けられた棚板の各前端部に沿って取り付けられている請求項１〜４のいずれか１の請求項に記載の照明装置であって、
前記各光源部は、一方の光源部の発光素子からの光が上方後側に向かって照射されると共に他方の光源部の発光素子からの光が下方後側に向かって照射されるようにそれぞれ設けられている請求項１〜４のいずれか１の請求項に記載の照明装置。
【請求項６】
前記本体ベースの両側端部には開口が形成され、該開口を閉塞するようにキャップが装着されており、前記凹部の下方の該キャップには、リード線取り出し用の欠込み部が形成されていることを特徴とする請求項５に記載の照明装置。
【発明の詳細な説明】
【技術分野】
【０００１】
本発明は、各種商品を陳列する棚板等に取り付けられる照明装置であって、特に、複数の発光素子を有する光源部を備えた照明装置に関する。
【背景技術】
【０００２】
従来、店頭において、棚板に陳列された商品を引き立たせて商品の販売を促進するため、棚板に照明装置を取り付けて棚板上の商品に光を照射することが行われている。
【０００３】
一般に、このような場合に使用される照明装置の光源としては、白熱灯や蛍光灯が使用されており、これらの光源は、棚板の下側に目立たないように取り付けられている。
【０００４】
しかしながら、従来のこの種の照明装置では、光源のエネルギー効率が悪いため、電気料金が高くなると共に、寿命が短いため、交換作業が煩雑に必要となり、メンテナンスコストが高くなるといった問題があった。また、光源の発熱量が多く、該光源によって光を照射された商品の温度が上昇してしまうため、化粧品や生鮮食料品等、熱に弱い商品の照明には使用できないといった問題もあった。さらに、白熱灯や蛍光灯は比較的広い取り付けスペースを必要とするため、スペースロスが大きく、また、デザイン上も好ましくなく、特に、透明な棚板に取り付けた場合には、照明装置の固定箇所や裏側が透けて見えてしまうため、このデザイン上の問題は顕著であった。
【０００５】
そこで、最近では、上記した白熱灯や蛍光灯の代わりに発光ダイオード（英語名：Light-Emitting Diode、略称：ＬＥＤ）を光源として使用した棚板用の照明装置も提案されている。この種の従来の照明装置としては、例えば、棚板の底板等に埋設された発光ダイオードにより下方を照射するように構成したものや（特許文献１参照）、棚板の底板側の取付孔に嵌め込まれた発光ダイオードにより下方後側を照射すると共に、床面に取り付けた発光ダイオードからの光をその前方に設置した反射体で反射することにより上方前側を照射するように構成したもの等が知られている（特許文献２参照）。
【特許文献１】特開２００１−２５０４２０号公報
【特許文献２】特開２００５−２８５７０１号公報
【発明の開示】
【発明が解決しようとする課題】
【０００６】
しかしながら、上記した特許文献１に記載された照明装置では、棚板の商品に上方等の一方向からのみ光が照射されるようになっている一方、上記した特許文献２に開示された照明装置では、棚板の前方に置かれた商品に下方から光が照射されると共に、棚板の前方以外に置かれた商品には上方から光が照射されるようになっており、棚板のいずれの場所でも、商品には一方向からのみ光が照射されるようになっていた。したがって、棚板に陳列された商品の輪郭をはっきりと浮かび上がらせて引き立たせることができず、鮮やかな発色が要求される商品用の照明装置としては不適切であった。
【０００７】
また、上記した特許文献１に記載された照明装置では、発光ダイオードが棚板の底板等に埋設されており、また、上記した特許文献２に開示された照明装置では、発光ダイオードが棚板の底板側の取付孔に嵌め込まれると共に床面に取り付けられており、さらに発光ダイオードの前方には反射体を設置する必要があった。そのため、発光ダイオードの取付作業や交換作業に非常に手間が掛かり、メンテナンスコストが増大するといった問題もあった
さらに、発光ダイオードから発せられる光は青白い色をしているため、赤色を綺麗に映し出したい化粧品等の商品や、緑色を綺麗に映し出したい野菜等の商品を陳列する場合には、上記した照明装置を採用することができないといった問題もあった。
【０００８】
さらにまた、上記した特許文献１に開示された照明装置では、デザイン上、発光ダイオードを設置できる箇所が限定されるため、十分な光量を確保することができず、商品を陳列する棚板用の照明装置としては使用することが難しいといった問題もあった。
【０００９】
本発明は、上記した課題を解決すべくなされたものであり、発光ダイオードの取付や交換作業を容易に行うことができ、メンテナンスコストの低減化を図ることができると共に、棚板に陳列された商品の輪郭を浮かび上がらせて引き立たせることができ、鮮やかな発色が要求される商品にも使用できる照明装置を提供することを目的とするものである。
【課題を解決するための手段】
【００１０】
上記した目的を達成するため、本発明に係る照明装置は、異なる方向に光を照射可能な複数の光源部を備えた照明装置であって、前記各光源部は、基板上に複数の発光素子が配置されて形成された発光体を備えていることを特徴とする。
【００１１】
そして、前記各光源部は、前記照明装置が並設された場合に、前記光源部の発光素子からの光と、並設された別の照明装置の光源部の発光素子からの光とが互いに干渉する向きにそれぞれ配置されていてもよい。
【００１２】
また、前記光源部のうちの少なくともいずれか一方の光源部には、前記発光素子からの光を拡散するための拡散部材が設けられており、該拡散部材は外側に凸状に湾曲して形成されていてもよい。
【００１３】
さらに、前記光源部のうちの少なくともいずれか一方の光源部には白色発光素子が設けられ、他方の光源部には白色を含む複数の色の発光素子が設けられていてもよい。
【００１４】
さらにまた、上下複数段に渡って設けられた棚板の各前端部に沿って取り付けられている上記した照明装置であって、前記各光源部は、一方の光源部の発光素子からの光が上方後側に向かって照射されると共に他方の光源部の発光素子からの光が下方後側に向かって照射されるようにそれぞれ設けられていてもよい。
【発明の効果】
【００１５】
本発明によれば、発光体に発光素子が配置されているため、発光素子の取付や交換作業を容易に行うことができ、メンテナンスコストの低減化を図ることができる。
【００１６】
また、各光源部の発光素子からの光が互いに干渉するように構成されているため、前記光を照射される物の輪郭を浮かび上がらせて引き立たせることができる。また、光源部に白色を含む複数の色の発光素子が設けられている場合には、自然光に近い暖かみのある光を創り出すことができ、該光を照射される物の本来の色合いを映し出すことができる。
【００１７】
さらに、光源部に拡散部材が外側に凸状に湾曲して形成されている場合には、発光素子と拡散部材との離間距離を確保することができるため、発光素子からの光を拡散し、該光を広範囲に照射することができる。また、発光素子から点状に発せられた光を拡散部材により連続した線状の光に変換することができるため、デザイン性を向上させ、顧客の目を引き付けることができる等、種々の優れた効果を得ることができる。
【発明を実施するための最良の形態】
【００１８】
以下、図面を参照しつつ、本発明の実施の形態について説明する。なお、以下の説明では、本発明に係る照明装置を棚板に並設した場合について例示して説明する。ここで、図１は本発明の実施の形態に係る照明装置を示す背面図、図２は図１のＡ−Ａ矢視図、図３は照明装置を棚板に取り付けた状態を示す斜視図である。
【００１９】
本実施の形態に係る照明装置１には、横長形状の本体ベース２と、本体ベース２の上部において本体ベース２の長手方向に沿って取り付けられる上方光源部３と、本体ベース２の下部において本体ベース２の長手方向に沿って取り付けられる下方光源部４とを備えている。本体ベース２は、アルミニウム製で、その前面側には本体ベース２の長手方向に沿って名札掲示部５が形成されている。名札掲示部５は、僅かに前方に向かって凸状に湾曲して形成されており、その上部及び下部には名札差込み溝６がそれぞれ形成されている。
【００２０】
本体ベース２の上部には、本体ベース２の長手方向に沿って上方光源部収容部７が形成されており、上方光源部収容部７内には、後方に傾斜した姿勢で発光体固定部８が形成されている。発光体固定部８の上方後側には上方開口部９が傾斜して形成されており、上方開口部９の上方及び下方に差込み溝１０が形成されている。また、本体ベース２の下部には、本体ベース２の長手方向に沿って下方光源部収容部１１が形成されており、下方光源部収容部１１内には、前方に傾斜した姿勢で発光体固定部１２が形成されている。発光体固定部１２の下方後側には下方開口部１３が傾斜して形成されており、この下方開口部１３の上方及び下方に差込み溝１４が形成されている。
【００２１】
本体ベース２の後面側には、本体ベース２の長手方向に沿って、略コの字状断面の凹部１５が形成されており、凹部１５には、上下一対の挟持部１６，１７が対向して形成されている。上方側の挟持部１６には支持面１８が水平に形成されていると共に、下方側の挟持部１７には弾性体嵌合部１９が形成されており、上下の挟持部１６，１７は、支持面１８と下方側の挟持部１７の上面３５との間隔が照明装置１の支持部材となる棚板３６の厚みより僅かに大きくなるように形成されている。そして、弾性体嵌合部１９の両側には、それぞれ、フッ素樹脂等の合成樹脂製で円筒チューブ状を成す弾性体２０が嵌合しており、弾性体２０の上端部は下方側挟持部１７の上面３５から僅かに上方に突出するように設置されている。
【００２２】
また、本体ベース２の両側端部には開口が形成されており、この開口を閉塞するようにキャップ２１が装着されている。このキャップ２１は樹脂成形品にメッキを施して形成されており、凹部１５の僅か下方の各キャップ２１の前方下傾部分には、それぞれ、リード線取出し用の欠込み部２２が形成されている。
【００２３】
上方光源部３は、発光体固定部８において後方に傾斜した姿勢で固定される発光体２３と、上方開口部９を閉塞するように周縁部が上下の差込み溝１０に挿入される透明なカバーシート２４と、カバーシート２４のさらに外側において周縁部が上下の差込み溝１０に挿入される拡散部材２５とから構成されている。拡散部材２５は、外側上方に凸状に湾曲するようにして差込み溝１０に差し込まれて、発光ダイオード２７からの離間距離を十分に確保できるようになっている。
【００２４】
発光体２３には、横長の回路基板２６上に複数の白色の発光ダイオード２７が狭ピッチでライン状に配列されており、発光体２３の左右いずれの側からも電源用のリード線２８が取出し可能となっている。また、発光体２３には、回路基板２６の裏面側にシリコンゴム製の放熱部材３３が接着されており、この放熱部材３３を介して発光体２３が本体ベース２の発光体固定部８に接着されるようになっている。
【００２５】
また、下方光源部３は、発光体固定部１２に前方に傾斜した姿勢で固定される発光体２９と、下方開口部１３を閉塞するように周縁部が上下の差込み溝１４に挿入される透明なカバーシート３０とから構成されている。発光体２９には、横長の回路基板３１上に一定の割合で白色、赤色、緑色の発光ダイオード３２が狭ピッチでライン状に配列されており、発光体２９の左右いずれの側からも電源用のリード線２８が取出し可能となっている。そして、白色、赤色、緑色の発光ダイオードは、好ましくは、赤色と緑色の混合比率がそれぞれ２０％を超えないように配列されているのがよく、さらに好ましくは、白色、赤色、緑色がそれぞれ８：１：１の割合で混合して配列されているのがよい。また、発光体２９には、回路基板３１の裏面側にシリコンゴム製の放熱部材３４が接着されており、この放熱部材３４を介して発光体２９が本体ベース２の発光体固定部１２に接着されるようになっている。
【００２６】
このような構成を備えた照明装置１を多段複数列（図３では３段２列）に渡って配置された棚板３６に並設する場合、各照明装置１の凹部１５をそれぞれ各段各列の棚板３６の前端部３７に挿入する。そうすると、上側の挟持部１６の支持面１８が棚板３６の上面に面接触すると共に、下側の挟持部１７の弾性体２０は、その弾性力により棚板３６の下面に密着し、上下の挟持部１６，１７が棚板３６を挟み込んだ状態となり、各照明装置１はそれぞれ各段各列の棚板３６に水平に固定される。
【００２７】
次いで、左右に隣接する棚板３６にそれぞれ固定された照明装置１，１を互いに対向するキャップ２１の欠込み部２２から取り出したリード線２８同士をコネクタ接続することにより連結すると共に、一方（図３では左方）の照明装置１の他方の欠込み部２２から取り出したリード線２８を電源（図示省略）に接続する。この時、欠込み部２２が凹部１５の僅か下方の前方下傾部分に形成されているため、リード線２８が照明装置１と棚板３６との間に挟まるおそれはない。
【００２８】
このように照明装置１を各棚板３６にセットした状態において電源を入れると、上方光源部３の発光ダイオード２７からは上方後側に向かって青白い色の光が発せられ、この光は拡散部材２５を透過することにより拡散される。この時、拡散部材２５が外側上方に凸状に湾曲して形成されており、発光ダイオード２７と拡散部材２５との間には十分な距離が確保されているため、発光ダイオード２７から発せられた光は十分に拡散され、棚板３６上の商品を前方下側から広範囲に照射することができる。また、各発光ダイオード２７から点状に発せられた光は外側上方に凸状に湾曲して形成された拡散部材２５を通過することにより連続した線状の光に変換されるため、デザイン性が向上し、顧客の目を引き付けるアイキャッチ効果を得ることができる。
【００２９】
一方、下方光源部４の発光ダイオード３２からは下方後側に向かって青白い色に赤色と緑色を混合した色の光が発せられ、この混合光は下段の棚板３６に固定された照明装置１の上方光源部３からの青白い色の光と干渉し合い、光の三原色である赤緑青の色の光を創り出し、棚板３６上の商品を前方上側から照射する。このように、上方光源部３の発光ダイオード２７から発せられた光と下方光源部４から発せられた光とが互いに干渉することにより、自然光に近い暖かみのある光を創り出すことができるため、棚板３６上に載置された商品の本来の色合いを映し出すことができる。
【００３０】
また、この時、各発光体２３，２９から発生する熱は、放熱部材３３，３４を介して本体ベース２に伝わり、外部に自然放出される。
【００３１】
上記したように本実施の形態に係る照明装置１によれば、光源として発光ダイオード２７，３２を使用しているため、白熱灯や蛍光灯と比較して、省エネルギー化や長寿命化を図ることができる。また、発光ダイオード２７，３２は発熱量が少なく、周囲の温度上昇を抑制することができるため、上記した照明装置１は化粧品や生鮮食料品等、熱に弱い商品の照明にも使用することができる。さらに、この照明装置１は、棚板３６上の商品に対して上方及び下方の両方向から光を照射するようになっているため、棚板３６に陳列された商品の輪郭をはっきりと浮かび上がらせて引き立たせることができる。
【００３２】
さらに、上記した照明装置１は弾性体２０の弾性力により棚板３６に固定されるようになっているため、照明装置１の棚板３６への着脱をワンタッチで簡単に行うことができ、メンテナンスコストの低減化を図ることができると共に、ネジ止め等の固定作業のためのスペースが不要となり、省スペース化を図ることができる。また、弾性体２０が装着されている挟持部１７に対向する挟持部１６には、棚板３６の上面に面接触可能なように支持面１８が形成されているため、照明装置１を棚板３６にしっかりと固定することができる。さらにまた、透明な棚板３６に取り付けた場合でも、照明装置の固定箇所や裏側が透けて見えることがなく、見栄えの良いスマートな形状に仕上げることができるため、デザイン性を向上させることもできる。
【００３３】
なお、上記した実施の形態において、弾性体２０は、フッ素樹脂等の合成樹脂製で円筒チューブ状を成し、弾性体嵌合部１９の両側にそれぞれ１箇所ずつ設けられているが、これは単なる例示に過ぎず、例えば、合成ゴム製で円柱状に形成したり、或いは、弾性体嵌合部１９の中央にも弾性体２０を配置したりする等、弾性体２０の材質や構造、及び設置数については各種変更が可能である。また、弾性体２０の構造としては、上記したように円筒形状のものが好ましいが、挟み込む棚板３６の種類や厚みによって、弾性体２０の肉厚を厚くしたり、薄くしたりすることも可能であり、これにより、棚板３６に対して、照明装置１を容易に着脱することができると共に、しっかりと固定することができる。
【００３４】
また、凹部１５の上下挟持部１６，１７は、例えば、厚みが６ｍｍの棚板と８ｍｍの棚板の両方の棚板に固定可能なように、支持面１８と弾性体嵌合部１９の上面３５との間隔を、８ｍｍの厚みの棚板に合せて設定しておき、６ｍｍの厚みの棚板に固定する場合には、支持面１８側に２ｍｍの厚さのスペーサを貼付するようにしてもよい。
【００３５】
さらに、上下の発光体２３，２９の発光ダイオード２７，３２の色の組み合わせは、上記した場合に限定されるものではなく、例えば、上下共に白色一色の発光ダイオードで構成したり、或いは、上方だけを白色、赤色、緑色の発光ダイオードで構成したり、或いは、上下共に白色、赤色、緑色の発光ダイオードで構成したりしてもよく、さらに、混合色の組合せとしては、白色と赤色、或いは、白色と緑色であってもよい。
【００３６】
さらにまた、光源部３、４の数は、上記したように上下に１灯ずつ設置するのではなく、例えば、上下に２灯ずつ又はそれ以上設置したり、或いは、上下の一方に１灯設置すると共に他方に２灯設置したりする等、各種変更が可能である。
【００３７】
さらに、発光体２３，２９の光源としては、上記した発光ダイオードに限定されるものではなく、例えば、発光有機ＥＬ素子等、他の発光素子を使用してもよい。
【００３８】
さらに、拡散部材２５は、上方光源部３の代わりに下方光源部４に取り付けたり、或いは、上下両方の光源部３，４に取り付けたりしてもよい。また、拡散部材２５を設置した場合には、カバーシート２４，３０の設置を省略することもできる。
【００３９】
さらにまた、上記した実施の形態においては、照明装置１を棚板３６に水平に固定する場合について例示して説明したが、本発明に係る照明装置は、間仕切壁の前端部に垂直姿勢で固定する等、他の支持部材に異なる姿勢で固定することもでき、さらに、スタンドを取り付けて照明装置が自立可能なように構成することもできる。
【図面の簡単な説明】
【００４０】
【図１】本発明の実施の形態に係る照明装置を示す背面図である。
【図２】図１のＡ−Ａ矢視図である。
【図３】本発明の実施の形態に係る照明装置を棚板に取り付けた状態を示す斜視図である。
【符号の説明】
【００４１】
１          照明装置
３          上方光源部
４          下方光源部
２５        拡散部材
２７        発光ダイオード（発光素子）
３２        発光ダイオード（発光素子）
３６        棚板（支持部材）
３７        前端部
【図１】
0004638343.tif 000002
【図２】
0004638343.tif 000003
【図３】
0004638343.tif 000004